(57)【要約】【課題】チャンネルスキャンの処理速度の向上をはかり、チャンネルスキャン処理が目的とする受信信号の再生品位に影響することのない、受信装置を提供する。【解決手段】所定の周波数の信号を選択的に受信する受信回路（高周波回路２）と、受信回路から出力される受信信号の強度を検出する強度検出回路（検波回路３）と、受信回路から出力される受信信号の周波数を検出する周波数検出回路（Ｆ／Ｖコンバータ４）と、強度検出回路によって検出された受信信号の強度と、周波数検出回路により検出された受信信号の周波数とを参照しながら、受信回路を制御して受信周波数をスキャンさせるスキャン制御回路（スキャン制御回路５）とを有する。【選択図】図１
2007324790.tif 000002
【特許請求の範囲】
【請求項１】
所定の周波数の信号を選択的に受信する受信回路と、
上記受信回路から出力される受信信号の強度を検出する強度検出回路と、
上記受信回路から出力される受信信号の周波数を検出する周波数検出回路と、
上記強度検出回路によって検出された受信信号の強度と、上記周波数検出回路により検出された受信信号の周波数とを参照しながら、上記受信回路を制御して受信周波数をスキャンさせるスキャン制御回路と、
を有することを特徴とする受信装置。
【請求項２】
前記スキャン制御回路は、前記強度検出回路によって検出された受信信号の強度が所定の強度より高いと判定された場合に、前記周波数検出回路により検出された受信信号の周波数が所望の周波数に該当するか否かを判定し、該当する場合にはスキャン動作を停止し、該当しない場合にはスキャン動作を継続することを特徴とする請求項１記載の受信装置。
【請求項３】
前記スキャン制御回路は、前記強度検出回路によって検出された受信信号の強度が所定の強度より高いと判定された場合に、前記周波数検出回路の出力が安定した後に、前記周波数検出回路により検出された受信信号の周波数が所望の周波数に該当するか否かを判定することを特徴とする請求項２記載の受信装置。
【請求項４】
前記受信回路は、複数のバンドパスフィルタを選択的に切り替えて所定の周波数の信号を受信可能であり、
前記強度検出回路は、受信信号を検波して受信信号の強度に対応する電圧信号を生成する検波回路であり、
前記周波数検出回路は、受信信号をその周波数に対応する電圧信号に変換する周波数・電圧コンバータであり、
前記スキャン制御回路は、上記検波回路の出力電圧が所定の閾値以上となった場合に、上記周波数・電圧コンバータの出力が安定した後に、当該周波数・電圧コンバータの出力電圧が、所望の周波数に対応する閾値と略等しくなったときにはスキャン動作を停止し、それ以外の場合にはスキャン動作を継続する、
ことを特徴とする請求項１記載の受信装置。
【請求項５】
所定の周波数の信号を選択的に受信し、
受信信号の受信強度を検出し、
受信信号の周波数を検出し、
検出された受信信号の強度と、検出された受信信号の周波数とを参照しながら、受信周波数をスキャンし、受信信号の強度が所定の強度より高いと判定された場合に、受信信号の周波数が所望の周波数に該当するか否かを判定し、該当する場合にはスキャン動作を停止し、該当しない場合にはスキャン動作を継続する、
ことを特徴とする受信方法。
【発明の詳細な説明】
【技術分野】
【０００１】
本発明は、無線により音声や映像等の情報を受信する受信機に用いて好適な、受信装置および受信方法に関するものである。
【背景技術】
【０００２】
無線により音声や映像等の情報を受信する受信装置において、所定の周波数帯域内で受信周波数を順次設定し、受信信号の有無を判定して所定レベルの受信信号があればその信号を受信状態に設定し、なければ受信周波数を変更設定して上記の動作を繰り返すチャンネルスキャン機能が知られている（例えば、特許文献１、２参照）。
【０００３】
具体的に、図６に示されるように、アンテナ６１と、高周波回路６２と、検波回路６３と、マイクロプロセッサにより制御されるスキャン制御回路６４とで構成される従来の受信機は、チャンネルスキャン処理中、視聴を希望する受信信号の有無を判定するために、例えば、図７にその動作タイミングが示されるように、まず、受信信号強度を示すＲＳＳＩ（Radio Signal Strength Indicator）電圧と、あらかじめ設定された電圧値（ＲＳＳＩ閾値）とを比較する。
【０００４】
ＲＳＳＩ電圧は、受信信号強度が高くなるほどその電圧値が高くなるため、ここで、ＲＳＳＩ閾値より高いと判定された場合、次に、アナログスケルチ電圧（以下、ＡＳＱ：Analog Squelch電圧という）の閾値判定を行う。ＡＳＱ電圧は、受信信号強度が高くなるほどその電圧値が低くなる。ここでＡＳＱ電圧値がＡＳＱ閾値より低いと判定された場合、そのチャンネルに希望の信号があると判定してチャンネルスキャンを停止させ（スキャン停止タイミング）、その受信信号を受信状態に設定するための制御を行う。このことにより、チャンネルスキャン中、受信機に強い妨害波が入ってきた場合、ＲＳＳＩ電圧が高くなってもＡＳＱ電圧の閾値判定を行うことで誤動作することはない。
【特許文献１】特開平８−１８４７０号公報（段落「０００５」〜「０００６」、図２）
【特許文献２】特開平８−１８４７１号公報（段落「０００５」〜「０００６」、図３）
【発明の開示】
【発明が解決しようとする課題】
【０００５】
しかしながら、上記した従来の技術によれば、チャンネルスキャン中、強い妨害信号を受信した場合、ＲＳＳＩ電圧がＲＳＳＩ閾値を超えることがあり、このため、チャンネルスキャン制御回路６４は、ＡＳＱ電圧の閾値判定処理を行う機会が増え、結果的に、チャンネルスキャンの処理速度に悪影響を及ぼす。また、ＡＳＱ電圧の閾値判定処理に関し、ノイズへの追従と、ノイズの平均化をはかってスケルチ開閉が頻繁に生じることを防止するために付加される時定数回路との関係から、応答速度が遅くなり、このため、チャンネルスキャンの処理速度に一層悪影響を及ぼし、このことは結果的に所望の信号を検出する精度を低下させる要因にもなる。
【０００６】
具体的に、図８のタイミングチャートに示されるように、希望信号が受信されていないにもかかわらず、強い妨害信号によりＲＳＳＩ電圧がＲＳＳＩ閾値を超え、したがってＡＳＱ電圧の閾値判定を行う処理が起動されるが、ＡＳＱ電圧は閾値を超えないため、ここではじめて希望信号が無いと判定される。図８中、Ｘは、チャンネルスキャンを開始するタイミング（ＳＳＴ）からＡＳＱ電圧の閾値判定を行うタイミングに至るまでの時間間隔を示す。この時間間隔Ｘがチャンネルスキャンの処理速度を遅くする要因である。この処理は設定されたチャンネル毎繰り返し行われるため、チャンネルスキャンに要する処理時間は無視できないものとなる。
【０００７】
本発明は上記した課題を解決するためになされたものであり、チャンネルスキャンの処理速度の向上を図るとともに、所望の信号を検出する精度の向上を図ることが可能な受信装置および受信方法を提供することを目的とする。
【課題を解決するための手段】
【０００８】
上記した課題を解決するために本発明に係る受信装置は、所定の周波数の信号を選択的に受信する受信回路と、受信回路から出力される受信信号の強度を検出する強度検出回路と、受信回路から出力される受信信号の周波数を検出する周波数検出回路と、強度検出回路によって検出された受信信号の強度と、周波数検出回路により検出された受信信号の周波数とを参照しながら、受信回路を制御して受信周波数をスキャンさせるスキャン制御回路と、を有する。
【０００９】
また、他の発明の受信装置は、上述の発明に加えて、スキャン制御回路が、強度検出回路によって検出された受信信号の強度が所定の強度より高いと判定された場合に、周波数検出回路により検出された受信信号の周波数が所望の周波数に該当するか否かを判定し、該当する場合にはスキャン動作を停止し、該当しない場合にはスキャン動作を継続する。
【００１０】
また、他の発明の受信装置は、上述の発明に加えて、スキャン制御回路が、強度検出回路によって検出された受信信号の強度が所定の強度より高いと判定された場合に、周波数検出回路の出力が安定した後に、周波数検出回路により検出された受信信号の周波数が所望の周波数に該当するか否かを判定する。
【００１１】
また、他の発明の受信装置は、上述の発明に加えて、受信回路が、複数のバンドパスフィルタを選択的に切り替えて所定の周波数の信号を受信可能であり、強度検出回路が、受信信号を検波して受信信号の強度に対応する電圧信号を生成する検波回路であり、周波数検出回路が、受信信号をその周波数に対応する電圧信号に変換する周波数・電圧コンバータであり、スキャン制御回路が、検波回路の出力電圧が所定の閾値以上となった場合に、周波数・電圧コンバータの出力が安定した後に、当該周波数・電圧コンバータの出力電圧が、所望の周波数に対応する閾値と略等しくなったときにはスキャン動作を停止し、それ以外の場合にはスキャン動作を継続する。
【００１２】
また、本発明の受信方法は、所定の周波数の信号を選択的に受信し、受信信号の受信強度を検出し、受信信号の周波数を検出し、検出された受信信号の強度と、検出された受信信号の周波数とを参照しながら、受信周波数をスキャンし、受信信号の強度が所定の強度より高いと判定された場合に、受信信号の周波数が所望の周波数に該当するか否かを判定し、該当する場合にはスキャン動作を停止し、該当しない場合にはスキャン動作を継続する。
【発明の効果】
【００１３】
本発明によれば、ＡＳＱ電圧の閾値判定を行うことなくチャンネルスキャン処理を行うことができるため、チャンネルスキャンの処理速度の向上が図れ、したがって、所望の信号を検出する精度を向上させることができる。
【発明を実施するための最良の形態】
【００１４】
図１は、本発明の実施の形態に係る受信装置の構成例を示すブロック図である。図１において、本発明の実施形態に係る受信装置は、アンテナ１と、高周波回路２と、検波回路３と、周波数・電圧コンバータ４（以下、単にＦ／Ｖコンバータ４という）と、スキャン制御回路５とで構成される。
【００１５】
受信回路としての高周波回路２は、アンテナ１を介して受信した高周波の信号を処理するアナログ回路であり、発振器、増幅器、Ａ／Ｄ（Analog／Digital）コンバータの他に、後述するスキャン制御回路５により選択的に切り替えられる複数のバンドパスフィルタ（いずれも不図示）を含む。高周波回路２により出力される受信信号は、検波回路３、およびＦ／Ｖコンバータ４に供給される。強度検出回路としての検波回路３は、高周波回路２により出力される受信信号を検波して受信信号強度を示すＲＳＳＩ電圧をスキャン制御回路５へ出力する。また、周波数検出回路としてのＦ／Ｖコンバータ４は、高周波回路２により出力される受信信号の周波数を電圧値（Ｆ／Ｖ）に変換してスキャン制御回路５へ出力する。
【００１６】
スキャン制御回路５は、マイクロプロセッサを内蔵し、検波回路３により出力されるＲＳＳＩ電圧の値が所定の電圧値（ＲＳＳＩ閾値）より高いと判定されたとき、Ｆ／Ｖコンバータ４により出力される電圧の値（Ｆ／Ｖ）と、視聴希望周波数を電圧に変換した値とを比較し、受信信号が希望する周波数に該当するか否かを判定しスキャン制御を行う。なお、ここで、スキャン制御とは、比較の結果によってはスキャンを停止し、もしくは高周波回路２を構成する複数のバンドパスフィルタを選択的に切り替える制御をいう。
【００１７】
図２は、図１に示すＦ／Ｖコンバータ４の構成例を示す図である。なお、Ｆ／Ｖコンバータ４としては、例えば、自動車の回転数検出等で使用されるセンサの信号処理用に用いられる一般的なＩＣを用いることができる。図２に示されるように、Ｆ／Ｖコンバータ４は、周波数電圧変換回路４１と、２つの電圧比較器４２、４３と、シュミット回路４４とにより構成される。図２において、受信信号入力（端子番号（１））は、内蔵のシュミット回路４４を介して周波数電圧変換回路４１に供給される。周波数電圧変換回路４１は、立ち上がりエッジで動作し、高周波入力でも周波数−電圧出力は安定である。また、自動車に用いられるこれらのＩＣでは、Ｖｃｃ端子（端子番号（９））にツェナーダイオードを内蔵しており、自動車のようなバッテリ電源環境下においてもバッテリ電圧に関係なく安定して周波数の検出を行うことができる。
【００１８】
Ｆ／Ｖ端子（端子番号（３））は周波数−電圧変換出力端子であり、外部に積分用のコンデンサＣｏと抵抗ＲＴが接続される。また、出力端子（端子番号（４、８））は、内蔵の２つの電圧比較器４２、４３の反転出力になっており、少なくとも一つが図１に示すスキャン制御回路５に接続される。このＩＣでは、Ｆ／Ｖ端子（端子番号（３））に接続される抵抗ＲＴと、ＴＣ端子（端子番号（２））に外部接続されるコンデンサＣＴとの値によって変換電圧を任意に設定することができる。
【００１９】
図３は、図１に示すスキャン制御回路５の内部構成を機能展開して示したブロック図である。スキャン制御回路５の構成を機能表現すれば、主制御部５１と、受信電界強度値取得部としてのＲＳＳＩ電圧値取得部５２と、周波数電圧値取得部としてのＦ／Ｖ値取得部５３と、比較演算部５４と、ＲＳＳＩ閾値記憶部５５と、希望周波数−電圧値記憶部５６と、チャンネル（ＣＨ）設定部５７とを有する。なお、ＲＳＳＩ閾値記憶部５５と、希望周波数−電圧値記憶部５６のそれぞれは、スキャン制御回路５に内蔵される、例えば、フラッシュメモリ等（不図示）にあらかじめ設定され、記憶されているものとする。
【００２０】
ＲＳＳＩ電圧値取得部５２は、主制御部５１による制御の下、検波回路３から受信信号強度を示すＲＳＳＩ電圧値を取得して比較演算部５４へ供給する。また、Ｆ／Ｖ値取得部５３は、主制御部５１による制御の下、Ｆ／Ｖコンバータ４から出力される周波数電圧変換値（Ｆ／Ｖ）を取得して比較演算部５４へ供給する。比較演算部５４は、主制御部５１によるシーケンス制御の下、まず、検波回路３により出力されるＲＳＳＩ電圧の値とＲＳＳＩ閾値記憶部５５に記憶された閾値データとを比較し、ＲＳＳＩ電圧が閾値データより高いと判定されたときにその結果を主制御部５１に出力する。続いて、主制御部５１によるシーケンス制御の下、Ｆ／Ｖ値取得部５３により取得される周波数電圧変換値（Ｆ／Ｖ）と、希望周波数−電圧値記憶部５６にあらかじめ設定され記憶されてある変換電圧値とを比較し、その結果を主制御部５１に出力する。
【００２１】
主制御部５１は、比較演算部５４の出力を参照してＣＨ設定部５７を制御し、チャンネルスキャン動作を停止してその時点の受信信号を受信状態に設定するか、もしくは、ＣＨ設定部５７に高周波回路２の複数のバンドパスフィルタを選択的に切り替えるためのＣＨデータを変更設定する。ＣＨ設定部５７は、主制御部５１による制御の下、設定されたＣＨデータに基づき高周波回路２のバンドパスフィルタを切り替えるための信号を生成する。なお、主制御部５１は、ＣＨ設定部５７に所定の周波数帯域内で受信周波数（ＣＨデータ）を順次設定し、比較演算部５４出力により受信信号の有無を判定し、所定レベルの受信信号があればその信号を受信状態に設定し、なければＣＨ設定部５７に受信周波数（ＣＨデータ）を変更設定して上記の動作を繰り返す、チャンネル制御のための制御中枢となる。主制御部５１は、他にタイミング等、全体の動作シーケンス制御を司る。
【００２２】
図４は、本発明の実施の形態に係る受信装置の動作を説明するためのフローチャートである。図４に示すフローチャートには、本発明の実施の形態に係るチャンネルスキャン制御方法の各工程（ステップ）についても併せて説明されている。以下、図４に示すフローチャートを参照しながら、図１〜図３に示す本発明の実施の形態に係る受信装置の動作について詳細に説明する。
【００２３】
まず、主制御部５１は、ＣＨ設定部５７に対し所定の周波数帯域における周波数（ＣＨデータ）をセットしてチャンネルスキャン動作を起動する（ステップＳ４０１）。このことにより、高周波回路２は、アンテナ１を介して入力される受信信号から、セットされた周波数の信号を選択的に受信して増幅し、増幅された受信信号を検波回路３へ供給する。検波回路３は、この受信信号を検波するときに、受信信号強度を示すＲＳＳＩ電圧を生成してスキャン制御回路５へ供給する。スキャン制御回路５では、ＲＳＳＩ電圧値取得部５２がこのＲＳＳＩ電圧を取得して比較演算部５４へ出力する（ステップＳ４０２）。比較演算部５４には他に、ＲＳＳＩ閾値記憶部５５から読み出されたＲＳＳＩ閾値データ（ここではαとする）が供給されており、ここで、主制御部５１によるシーケンス制御の下、ＲＳＳＩ電圧値とＲＳＳＩ閾値データαとの比較演算が実行される（ステップＳ４０３）。
【００２４】
比較演算部５４による比較演算の結果、ＲＳＳＩ電圧値がＲＳＳＩ閾値データα以上でると判定された場合（ステップＳ４０３“ＲＳＳＩ≧α”）、Ｆ／Ｖ値取得部５３は、Ｆ／Ｖコンバータ４により出力される周波数−電圧変換値であるＦ／Ｖ値を取得し、比較演算部５４の一方の入力端子へ供給する。このとき、比較演算部５４の他方の入力端子には、主制御部５１によるシーケンス制御の下、希望周波数−電圧値記憶部５６から読み出された希望周波数に相当する電圧値データが供給されている。なお、比較演算部５４による比較演算の結果、ＲＳＳＩ電圧値がＲＳＳＩ閾値データα未満であると判定された場合（ステップＳ４０３“ＲＳＳＩ＜α”）、主制御部５１は、ＣＨ設定部５７へ、次にスキャンすべき周波数（ＣＨデータ）を変更設定し（ステップＳ４０８）、ステップＳ４０２以降のスキャン動作を再開する。
【００２５】
一方、ＲＳＳＩ電圧値がＲＳＳＩ閾値データα以下であるとステップＳ４０３で判定された場合、主制御部５１は、Ｆ／Ｖコンバータ４により出力されるＦ／Ｖ値が安定するのを待って（ステップＳ４０５“Ｙｅｓ”）、比較演算部５４による、Ｆ／Ｖ値と、読み出された希望周波数に相当する電圧値との比較演算の実行を指示する。なお、Ｆ／Ｖ値が安定するのを待つのは、Ｆ／Ｖコンバータ４が安定するには一定の時間を要するため、安定する前の値によって誤検出がなされるのを防止するためである。安定化したか否かを判定するためには、Ｆ／Ｖ値の変動が所定の範囲内に収まったか否かによって判定することができる。
【００２６】
比較演算の実行が指示されると、比較演算部５４は受信信号が希望周波数に該当するか否かを判定し、その結果を主制御部５１へ出力する（ステップＳ４０６）。比較演算部５４による比較演算の結果、Ｆ／Ｖ値が希望周波数に相当する電圧値と略合致すると判定された場合（ステップＳ４０６“＝”）、主制御部５１は、チャンネルスキャン動作を停止してその受信信号を受信状態に設定し（ステップＳ４０７）、合致しなかった場合（ステップＳ４０６“≠”）、ＣＨ設定部５７へ、次にスキャンすべき周波数（ＣＨデータ）を変更設定し（ステップＳ４０８）、ステップＳ４０２以降のスキャン動作を再開する。以上の手順に従いチャンネルスキャン処理を繰り返す。このことにより、仮に、強い妨害波を受信したとしても、Ｆ／Ｖコンバータ４による周波数−電圧変換値を用いることでＡＳＱ電圧にかかわる閾値判定のための処理を省略できる。
【００２７】
図５は、本発明の実施の形態に係る受信装置の動作をタイミングチャートで示した図である。図８に示す従来例のタイミングチャートと対比すれば明確なように、チャンネルスキャン動作時、ＲＳＳＩ電圧とＲＳＳＩ閾値とを比較する処理は同じであるが、ＡＳＱ電圧とＡＳＱ閾値とを比較する処理の代替として、受信周波数を電圧値に変換するＦ／Ｖコンバータ４を用い、変換された電圧値が安定化したタイミングで、その電圧値と、あらかじめ設定された希望周波数−変換電圧値とを比較し、受信信号が希望周波数に合致するか否かを判定する処理を実行している。Ｆ／Ｖコンバータ４は応答速度が速く、このため、応答速度が遅いＡＳＱ電圧の閾値判定を要しないことからチャンネルスキャン処理にかかる時間が短くなる。具体的には、図５中、Ｘ’で示される時間だけ１ＣＨにかかるチャンネルスキャン速度を改善することができる。
【００２８】
以上説明のように本発明の実施の形態に係る受信装置によれば、仮に、強い妨害波を受信したとしても、Ｆ／Ｖコンバータ４による周波数−電圧変換値を用いることでＡＳＱ電圧にかかわる閾値判定のための処理を省略できる。Ｆ／Ｖコンバータ４は応答速度が速く、応答速度に難があったＡＳＱ電圧の閾値判定を省略できることから、チャンネルスキャンの処理速度の向上がはかれ、このため、チャンネルスキャン処理が再生品質に与える悪影響が改善される。なお、上記した本発明の実施形態では、Ｆ／Ｖコンバータ４として、自動車の回転数検出等で使用されるセンサの信号処理用に用いられるＩＣを使用したが、高周波回路２からの信号を受け、その信号の周波数に比例した大きさの直流電流・電圧信号を出力する周波数・電圧コンバータであればいずれでも代替が可能である。
【００２９】
また、スキャン制御回路５は、ハードウェア的には、マイクロプロセッサ、ＲＯＭ／ＲＡＭ、フラッシュメモリ、およびその周辺ＬＳＩから成るＩＣチップにより構成されるものとし、マイクロプロセッサがＲＯＭに記録されたプログラムを逐次読み出し実行することにより、ＲＡＭやフラッシュメモリを含む周辺ＬＳＩを制御して上記したスキャン制御回路５が持つ機能を実行するものである。このとき、図３に示すＲＳＳＩ閾値記憶部５５と、希望周波数−電圧値記憶部５６は、フラッシュメモリに割り付けられて記憶され、また、主制御部５１、ＲＳＳＩ電圧値取得部５２、Ｆ／Ｖ値取得部５３、比較演算部５４、ＣＨ設定部５７のそれぞれが持つ機能は、マイクロプロセッサがＲＯＭに記録されたプログラムを逐次読み出し実行することにより実現されるものである。なお、上記した各構成の少なくとも一つは専用のハードウェアにより実現されても良い。この場合、一層の高速処理が期待できる。
【００３０】
なお、周辺ＬＳＩとは、Ａ／Ｄ（Analog／Digital）コンバータ、あるいはＤ／Ａ（Digital ／Analog）コンバータを含む入出力ポートのことをいい、例えば、ＲＳＳＩ電圧値取得部５２は、検波回路３により出力されるＲＳＳＩ電圧の値を、Ａ／Ｄコンバータおよび入力ポートを介して取得し、また、Ｆ／Ｖ値取得部５３は、Ｆ／Ｖコンバータ４により出力される周波数−電圧変換値を、Ａ/Ｄコンバータおよび入力ポートを介して取得する。また、ＣＨ設定部５７は、ＣＰＵにより設定されるＣＨデータを出力ポートおよびＤ／Ａコンバータを介して高周波回路２が持つバンドパスフィルタに出力する。
【００３１】
以上、この発明の実施の形態につき図面を参照して詳述したが、具体的な構成はこの実施の形態に限られるものではなく、この発明の要旨を逸脱しない範囲の設計等も含まれる。
【図面の簡単な説明】
【００３２】
【図１】本発明の実施の形態に係る受信装置の内部構成を示すブロック図である。
【図２】図１に示すＦ／Ｖコンバータの内部構成の一例を示す図である。
【図３】図１に示すスキャン制御回路の内部構成を機能展開して示したブロック図である。
【図４】本発明の実施の形態に係る受信装置の動作を説明するためのフローチャートである。
【図５】本発明の実施の形態に係る受信装置の動作を説明するためのタイミングチャートである。
【図６】従来の受信装置の内部構成の一例を示すブロック図である。
【図７】従来の受信装置の動作を説明するためのタイミングチャートである。
【図８】従来の受信装置の動作を説明するためのタイミングチャートである。
【符号の説明】
【００３３】
１      アンテナ
２      高周波回路（受信回路）
３      検波回路（強度検出回路）
４      周波数・電圧コンバータ（周波数検出回路）
５      スキャン制御回路
４１    周波数電圧変換回路
４２    電圧比較器
４３    電圧比較器
４４    シュミット回路
５１    主制御部
５２    受信信号強度電圧値取得部（ＲＳＳＩ電圧値取得部）
５３    周波数電圧値取得部（Ｆ／Ｖ値取得部）
５４    比較演算部
５５    ＲＳＳＩ閾値記憶部
５６    希望周波数−電圧値記憶部
５７    チャンネル設定部（ＣＨ設定部）
【図１】
2007324790.tif 000003
【図２】
2007324790.tif 000004
【図３】
2007324790.tif 000005
【図４】
2007324790.tif 000006
【図５】
2007324790.tif 000007
【図６】
2007324790.tif 000008
【図７】
2007324790.tif 000009
【図８】
2007324790.tif 000010